(57)【要約】      （修正有）【課題】首の運動による当て生地のズレを防止する衣服を提供する。【解決手段】衣服１の内襟に両面粘着テープを介して着脱可能に当て生地４を装着するようにしたので、衣服１の内襟と当て生地４がズレることを防止出来る。【選択図】図２
0003198124.tif 000002
【実用新案登録請求の範囲】
【請求項１】
衣服の内襟に両面粘着テープを介して着脱可能に当て生地を装着することを特徴とする衣服。
【請求項２】
前記当て生地を耐水性を有する素材としたことを特徴とする請求項１記載の衣服。
【請求項３】
前記当て生地を異なる生地素材、異なる厚さの素材を選択して取り付けられるようにしたことを特徴とする請求項１記載の衣服。
【請求項４】
前記当て生地を水分吸水素材としたことを特徴とする請求項１の衣服。
【請求項５】
前記水分吸水素材を吸水性ポリマーとしたことを特徴とする請求項４記載の衣服。
【請求項６】
前記吸水性ポリマーを綿素材で被覆したことを特徴とする請求項５記載の衣服。
【請求項７】
前記当て生地を色調を有する素材としたことを特徴とする請求項１記載の衣服。
【請求項８】
前記当て生地を内襟の高さより上部に突出したことを特徴とする請求項１記載の衣服。
【考案の詳細な説明】
【技術分野】
【０００１】  本考案は、内襟に当て生地を用い、当て生地を簡単に着脱出来る、当て生地に機能を施す、当て生地に意匠を施す、当て生地の素材を選択する、当て生地の繰り返し使用を可能とすることを特徴とする。
【背景技術】
【０００２】  上半身の発汗による熱気を外部に放出する目的で襟の内側にスペーサーとして内襟を施し通風口として作用させて発汗作用の補助及び納涼を得るとしている。（特許第４７０６９５１号参照）【０００３】  首部に巻き付けネックウオーマー名称で冬季に防寒用、ファッション目的の製品が存在する。【０００４】  冷却剤入りの首当てを首部に巻き付け冷却効果を得る製品が存在する。
【先行技術文献】
【０００５】
【特許文献】
【特許文献】特許第４７０６９５１号
【考案の概要】
【０００６】  衣服の内襟に当て生地を用い、当て生地に汗取り、防汚、防寒、消臭、芳香、意匠性を施すなど機能を持たせること、並びに実装の容易性、繰り返し使用が出来ることで利便性を持たせた。
【考案が解決しようとする課題】
【０００７】  衣服の内襟の当て生地を、単にフックで止めてあり首の運動で内襟と当て生地にズレを生ずる。
【課題を解決するための手段】
【０００８】  本考案は、衣服の内襟と当て生地がズレることを防止するために両面粘着テープを用いたこと。
【考案の効果】
【０００９】  第一の考案よれば衣服の内襟に両面粘着テープを介して着脱可能に当て生地を装着するようにし、当て生地に汗取り、防汚、防寒、消臭、芳香、意匠性を施すなど機能を持たせたとともに、当て生地がズレることを防止出来た。【００１０】  第一の考案に基づいて第二の考案によれば、当て生地を耐水性を有する素材とすることで洗濯が可能とした。【００１１】  第一の考案に基づいて第三の考案によれば、当て生地を異なる生地素材、異なる厚さの生地素材を選択して取付けられるようにしたことで、防汚、消臭、芳香、防寒、汗取りの効果を得ることが出来る。【００１２】  第一の考案に基づいて第四、第五及び第六の考案によれば、当て生地を水分吸収素材の吸水性ポリマーを用い、当て生地を綿素材で被覆することで冷却の効果を得ることが出来る。【００１３】  第一の考案に基づいて第七の考案によれば、当て生地を色調の有する素材とすることで、意匠性を発揮でき、おしゃれを楽しむと共に執務時においてネクタイの着用を省くことが出来る便益を得ることが出来る。【００１４】  第一の考案に基づいて第八の考案によれば、当て生地を内襟の高さより上部に突出したことにより、内襟を汚すことなく汗取り、防汚、防寒、の効果を得られる。
【図面の簡単な説明】
【００１５】
【図１】本考案の衣服であって、内襟の内側に当て生地を装着した図である。
【図２】本考案の衣服であって、当て生地を内襟の高さより上部に突出させて装着した図である。
【図３】本考案の衣服の襟の部分を示した図であって、内襟の内側全面に当て生地を装着した図である。
【図４】本考案の衣服の襟の部分を示した図であって、内襟の横幅、高さ方向に突出するように当て生地を装着した図である。
【図５】本考案の衣服の内襟を示した図であって、内襟の内側に当て生地を装着した図である。
【図６】本考案の衣服の内襟を示した図であって、内襟の横幅方向のみ突出するように当て生地を装着した図である。
【図７】本考案の衣服の内襟を示した図であって、内襟の高さ方向のみ突出するように当て生地を装着した図である。
【図８】本考案の衣服の内襟を示した図であって、内襟の横幅、高さ方向に突出するように当て生地を装着した図である。
【考案を実施するための形態】
【００１６】  本考案によれば、衣服の内襟に当て生地を両面粘着テープを用い装着することで、着脱の容易性を得ることと、当て生地のズレを防止する。又、当て生地の素材を選択することで当て生地に機能性と意匠性を施すことが可能となると共に当て生地の繰り返し使用が可能となる。
【実施例】
【００１７】  図１は、衣服１の襟が外襟２と内襟３で構成されていること、又、いわゆる首に沿って立ち上がっている衣服の襟がスタンドタイプ襟であることが適していることを表している。【００１８】  図２は、衣服１の襟が外襟２と内襟３で構成されていること又、いわゆる首に沿って立ち上がっている衣服の襟がスタンドタイプ襟で、かつ外襟２がボタンにより首の付け根付近に留められているタイプのボタンダウンタイプが最適であることを表している。
更には、当て生地４が汗取りと防汚効果を得ることを目的として内襟３の高さより上部に突出させている。【００１９】  図３は、主に衣服１の襟を構成する外襟２と内襟３の部分を示したもので、内襟３の全面に両面粘着テープ５で当て生地４を装着したものであり、当て生地４の装着のパターンのひとつを表している。【００２０】  図４は、主に衣服１の襟を構成する外襟２と内襟３の部分を示したもので、内襟３の横幅と高さ方向に当て生地４を両面粘着テープ５で突出するように装着して汗取りと防汚の効果を顕著ならしめようとした当て生地４の装着のパターンのひとつを表している。【００２１】  図５は、内襟３の横幅と高さ方向のそれぞれの内側に両面粘着テープ５で当て生地を装着したことを表していて、当て生地４の装着のパターンのひとつを表している。【００２２】  図６は、内襟３の高さ方向は内側で、横幅方向に当て生地４を長くし、内襟３に両面粘着テープ５で当て生地４を装着したことを表していて、当て生地４の装着のパターンのひとつを表している。【００２３】  図７は、内襟３の横幅方向は内側で、高さ方向に突出するように当て生地４を両面粘着テープ５で装着したことを表していて、当て生地４の装着のパターンのひとつを表している。【００２４】  図８は、内襟３の横幅と高さ方向に当て生地４を両面粘着テープ５で突出するように装着したことを表していて、当て生地４の装着のパターンのひとつを表している。【００２５】  当て生地４は、自由なデザインをすることで、おしゃれを楽しむこと、執務時においてネクタイの着用を省くことが可能となる。【００２６】  両面粘着テープ５は、皮膚刺激のない粘着剤を用いて作られた両面粘着テープであること。【００２７】  両面粘着テープ５は、内襟３と当て生地４の間に存在し、内襟３に両面粘着テープ５を貼付し、当て生地４を図５、図６、図７、図８にならい装着することで内襟３と当て生地４がズレることを防止する。
【符号の説明】
【００２８】１…衣服
２…外襟
３…内襟
４…当て生地
５…両面粘着テープ
６…衣服１の襟は、外襟２と内襟３で構成される。
【図１】
0003198124.tif 000003
【図２】
0003198124.tif 000004
【図３】
0003198124.tif 000005
【図４】
0003198124.tif 000006
【図５】
0003198124.tif 000007
【図６】
0003198124.tif 000008
【図７】
0003198124.tif 000009
【図８】
0003198124.tif 000010